(57)【要約】【課題】              上り高速信号に対するアクセスリンクの追加・削除のばたつきを抑えること。【解決手段】          複数の基地局２０、３０、４０と有線で接続されるとともに、移動端末１０と基地局２０、３０、４０との間の無線回線のハンドオーバ制御を行う基地局制御装置５０であって、基地局制御装置５０は、移動端末１０から送信されたセル２１をアクティブセットに追加するためのイベントトリガを受信したときにおいて、前記アクティブセットからセル２１を削除したときから所定時間経過していないときには、セル２１をアクティブセットに追加する動作を禁止する。【選択図】            図１
2006279856.tif 000002
【特許請求の範囲】
【請求項１】
移動端末と、
前記移動端末との間で無線回線を設定することが可能な複数の基地局と、
前記基地局と有線で接続されるとともに、前記移動端末と前記基地局との間の無線回線のハンドオーバ制御を行う基地局制御装置と、
を備え、
前記基地局制御装置は、
移動端末がセル間でハンドオーバを行う際に、当該移動端末との間で無線回線を設定するセルのリストであるアクティブセットの状態を移動端末ごとに表したアクティブセットテーブルを記憶する記憶部と、
前記移動端末又は前記基地局から送信された前記移動端末に対応する所定のセルに係る無線回線の解放を要求するための無線回線解放要求信号を受信することにより、前記アクティブセットテーブルから前記移動端末に対応する前記所定のセルを削除する制御処理部と、
前記アクティブセットテーブルから前記移動端末に対応する前記所定のセルを削除したときからの時間を測定するタイマ部と、
を備え、
前記基地局制御装置の前記制御処理部は、前記移動端末から送信された前記所定のセルに係る無線回線の設定を要求するための無線回線設定要求信号を受信したときにおいて、前記タイマ部で測定された時間が所定時間を経過していないときには、前記移動端末に対応する前記所定のセルを前記アクティブセットテーブルに追加する動作を禁止するように構成されることを特徴とする移動通信システム。
【請求項２】
前記基地局制御装置の前記制御処理部は、前記移動端末に対応する前記所定のセルを前記アクティブセットテーブルに追加する動作を禁止しているときにおいて、前記アクティブセットテーブル中の前記移動端末に対応するセルが１つしかないときには、前記移動端末に対応する前記所定のセルを前記アクティブセットテーブルに追加する動作の禁止を解除するように構成されることを特徴とする請求項１記載の移動通信システム。
【請求項３】
前記基地局制御装置の前記制御処理部は、前記移動端末から送信された前記無線回線設定要求信号を受信したときにおいて、前記タイマ部で測定された時間が所定時間を経過したとき、又は、前記所定のセルを前記アクティブセットに追加する動作の禁止を解除したときに、前記アクティブセットテーブルに前記移動端末に対応する前記所定のセルを追加するとともに、前記所定のセルに係る無線回線を設定するための無線回線設定信号を、前記所定のセルに係る前記基地局および前記移動端末に対して送信するように構成されることを特徴とする請求項２記載の移動通信システム。
【請求項４】
前記基地局制御装置の前記制御処理部は、前記所定のセルを前記アクティブセットテーブルに追加する動作を禁止する前において、前記無線回線解放要求信号を受信することにより、前記移動端末に対応する前記所定のセルを前記タイマ部に設定するように構成されることを特徴とする請求項１乃至３のいずれか一に記載の移動通信システム。
【請求項５】
複数の基地局と有線で接続されるとともに、移動端末と前記基地局との間の無線回線のハンドオーバ制御を行う基地局制御装置であって、
移動端末がセル間でハンドオーバを行う際に、当該移動端末との間で無線回線を設定するセルのリストであるアクティブセットの状態を移動端末ごとに表したアクティブセットテーブルを記憶する記憶部と、
前記移動端末又は前記基地局から送信された前記移動端末に対応する所定のセルに係る無線回線の解放を要求するための無線回線解放要求信号を受信することにより、前記アクティブセットテーブルから前記移動端末に対応する前記所定のセルを削除する制御処理部と、
前記アクティブセットテーブルから前記移動端末に対応する前記所定のセルを削除したときからの時間を測定するタイマ部と、
を備え、
前記制御処理部は、前記移動端末から送信された前記所定のセルに係る無線回線の設定を要求するための無線回線設定要求信号を受信したときにおいて、前記タイマ部で測定された時間が所定時間を経過していないときには、前記移動端末に対応する前記所定のセルを前記アクティブセットテーブルに追加する動作を禁止するように構成されることを特徴とする基地局制御装置。
【請求項６】
前記制御処理部は、前記移動端末に対応する前記所定のセルを前記アクティブセットテーブルに追加する動作を禁止しているときにおいて、前記アクティブセットテーブル中の前記移動端末に対応するセルが１つしかないときには、前記移動端末に対応する前記所定のセルを前記アクティブセットテーブルに追加する動作の禁止を解除するように構成されることを特徴とする請求項５記載の基地局制御装置。
【請求項７】
前記制御処理部は、前記移動端末から送信された前記無線回線設定要求信号を受信したときにおいて、前記タイマ部で測定された時間が所定時間を経過したとき、又は、前記所定のセルを前記アクティブセットに追加する動作の禁止を解除したときに、前記アクティブセットテーブルに前記移動端末に対応する前記所定のセルを追加するとともに、前記所定のセルに係る無線回線を設定するための無線回線設定信号を、前記所定のセルに係る前記基地局および前記移動端末に対して送信するように構成されることを特徴とする請求項６記載の基地局制御装置。
【請求項８】
前記制御処理部は、前記所定のセルを前記アクティブセットテーブルに追加する動作を禁止する前において、前記無線回線解放要求信号を受信することにより、前記移動端末に対応する前記所定のセルを前記タイマ部に設定するように構成されることを特徴とする請求項５乃至７のいずれか一に記載の基地局制御装置。
【請求項９】
移動端末がセル間でハンドオーバを行う際に、当該移動端末との間で無線回線を設定するセルのリストであるアクティブセットに含めるセルを選択するためのアクティブセット選択方法であって、
基地局制御装置が、前記移動端末から送信された前記移動端末に対応する所定のセルに係る無線回線の設定を要求するための無線回線設定要求信号を受信したときにおいて、前記アクティブセットから前記移動端末に対応する前記所定のセルを削除したときから所定時間経過していないときには、前記移動端末に対応する前記所定のセルを前記アクティブセットに追加する動作を禁止するステップを含むことを特徴とするアクティブセット選択方法。
【請求項１０】
前記基地局制御装置が、前記移動端末に対応する前記所定のセルを前記アクティブセットに追加する動作を禁止しているときにおいて、前記アクティブセット中の前記移動端末に対応するセルが１つしかないときには、前記移動端末に対応する前記所定のセルを前記アクティブセットに追加する動作の禁止を解除するステップを含むことを特徴とする請求項９記載のアクティブセット選択方法。
【請求項１１】
前記基地局制御装置が、前記移動端末から送信された前記無線回線設定要求信号を受信したときにおいて、前記アクティブセットから前記所定のセルを削除したときから所定時間経過したとき、又は、前記所定のセルを前記アクティブセットに追加する動作の禁止を解除したときに、前記アクティブセットに前記移動端末に対応する前記所定のセルを追加するとともに、前記所定のセルに係る無線回線を設定するための無線回線設定信号を、前記所定のセルに係る前記基地局および前記移動端末に対して送信するステップを含むことを特徴とする請求項１０記載のアクティブセット選択方法。
【請求項１２】
前記所定のセルを前記アクティブセットに追加する動作を禁止する前において、前記基地局制御装置が、前記移動端末又は前記基地局から送信された前記移動端末に対応する所定のセルに係る無線回線の解放を要求するための無線回線解放要求信号を受信することにより、前記アクティブセットから前記移動端末に対応する前記所定のセルを削除するとともに、前記移動端末に対応する前記所定のセルを前記アクティブセットに追加するのを禁止する時間のカウントを開始するステップを含むことを特徴とする請求項９乃至１１のいずれか一に記載のアクティブセット選択方法。
【発明の詳細な説明】
【技術分野】
【０００１】
本発明は、移動端末と基地局との間の上り高速信号に対してアクティブセット制御する移動通信システム、基地局制御装置、及びアクティブセット制御方法に関する。
【背景技術】
【０００２】
近年、移動通信システムとして注目を集めているＣＤＭＡ移動通信システムでは、移動端末は、同時に複数の基地局との間で無線回線を設定することが可能である。そのため、移動端末が複数の基地局の通信エリア内を移動する際には、複数の基地局との間で無線回線を設定しながら接続相手の基地局を切り替えてゆくハンドオーバを行うことにより回線が切断されることなく移動することが可能である。
【０００３】
そして、このようなハンドオーバが行われる際、ＣＤＭＡ移動通信システムでは、１つの移動端末に対して無線回線が設定されているセル（アクセスリンク）をアクティブセットとして管理している。ここで、アクティブセットは、ハンドオーバの際に、１つの移動端末に対して無線回線を設定するセルのリストを意味している。そして、移動端末が移動するのに伴いアクティブセットに含まれるセルが追加されたり削除されたりすることによりアクティブセットに含まれるセルは変化する。
【０００４】
１つの基地局により１つのセルを構成している場合には、移動端末は基地局との間に無線回線を設定し、基地局間でハンドオーバを行うことになる。このような場合には、アクティブセットは移動端末との間で無線回線を設定している基地局のリストになる。しかし、実際には指向性を有するアンテナ等を用いることにより１つの基地局により複数のセルを構成している場合があるため、ハンドオーバはセル単位で行われる。そのため、アクティブセットは移動端末との間で無線回線を設定しているセルのリストとなる。そのため、セルは、単に基地局との通信が可能な通信エリアを示すだけのものではなく、移動端末との間で無線回線を設定する対象である。
【０００５】
従来のＣＤＭＡ移動通信システムにおけるハンドオーバについて図５を用いて説明する。ＣＤＭＡ移動通信システムは、基地局制御装置（ＲＮＣ：Radio Network Controller）１４０と、基地局１２０、１３０とを備えている。ここで、基地局制御装置１４０は、複数の基地局１２０、１３０と接続されており、各基地局１２０、１３０へ移動端末１１０との間の無線回線の設定や基地局１２０、１３０間のハンドオーバ制御などを行う上位装置である。図５では、基地局１２０のセル１２１に在圏していた移動端末１１０が、移動することにより基地局１３０のセル１３１に移動した場合を示している。
【０００６】
どのセルをアクティブセットに含めるかを選択するための従来のアクティブセット選択方法（例えば、特許文献１、２参照）について図面を用いて説明する。図６は、従来例１に係るＣＤＭＡ移動通信システムのアクティブセット制御動作を説明するための模式図である。図７は、従来例２に係るＣＤＭＡ移動通信システムのアクティブセット制御動作を説明するための模式図である。セル（アクセスリンク）の追加・削除動作については、以下のように従来例２つのパターンがある。
【０００７】
従来例１のアクティブセット制御動作は、移動端末が各基地局からの下り回線の下り基準信号電力を測定してアクティブセットの選択を行うものであり、以下の通りである（図６参照）。
（１）移動端末１１０は、セル１２１と呼接続されている状態で、隣接するセル１３１の下り基準信号電力を定期的に測定する。
（２）そして、セル１３１の下り基準信号電力が大きくなると、移動端末１１０は、基地局１２０との間に設定されている無線回線を経由して、基地局制御装置１４０に対して、セル１３１をアクティブセットに追加するためのイベントトリガ（無線回線設定要求信号）を送信する。
（３）基地局制御装置１４０は、移動端末１１０からのイベントトリガ（セル１３１をアクティブセットに追加するための無線回線設定要求信号）を受信することにより、基地局１３０及び移動端末１１０に対して、セル１３１に係る無線回線を設定するための無線回線設定信号を送信する。
（４）基地局１３０と移動端末１１０は、基地局制御装置１４０からの無線回線設定信号（セル１３１に係る無線回線を設定するためのもの）を受信することにより、セル１３１において無線回線を設定し、通信を開始する。これにより、セル１３１はアクティブセットに追加される。
（５）そして、移動端末１１０がセル１３１に移動することによりセル１２１の下り基準信号電力が小さくなると、移動端末１１０は、基地局１２０もしくは基地局１３０との間に設定されている無線回線を介して基地局制御装置１４０にセル１２１をアクティブセットから削除するためのイベントトリガ（無線回線解放要求信号）を送信する。
（６）基地局制御装置１４０は、移動端末１１０からのイベントトリガ（セル１２１をアクティブセットから削除するための無線回線解放要求信号）を受信することにより、基地局１２０及び移動端末１１０に対して、セル１２１に係る無線回線を解放するための無線回線解放信号を送信する。
（７）基地局１２０及び移動端末１１０は、基地局制御装置１４０からの無線回線解放信号（セル１２１に係る無線回線を解放するためのもの）を受信することにより、設定されていた無線回線を解放する。これにより、セル１２１はアクティブセットから削除される。
【０００８】
従来例２のアクティブセット制御動作は、基地局が移動端末からの上り高速信号の受信状態を測定してアクティブセットの選択を行うものであり、以下の通りである（図７参照）。
（１）アクティブセットに含まれるセル１２１、１３１を構成している各基地局１２０及び１３０は、上り高速信号の受信ＳＩＲ（Signal to Interference power Ratio）を測定するとともに、基地局制御装置１４０からの目標ＳＩＲと、受信ＳＩＲと、の差を監視する。
（２）そして、基地局１２０で上り高速信号の目標ＳＩＲに対する受信ＳＩＲが改善されない場合（受信ＳＩＲがアクティブセット削除ＳＩＲ閾値（図８参照）よりも低くなり、かつ、ある一定の保護時間その状態が持続した場合）は、基地局１２０は移動端末１１０が他の基地局１３０のレート制御信号に従って上り高速信号を送信しているものと判断し、基地局１２０は基地局制御装置１４０に対して、セル１２１に係る無線回線（上り高速信号の無線回線）の解放を要求するための無線回線解放要求信号を送信する。
（３）基地局制御装置１４０は、基地局１２０からの無線回線解放要求信号（セル１２１に係る無線回線の解放を要求するためのもの）を受信すると、基地局１２０のセル１２１をアクティブセットから削除するために、基地局１２０及び移動端末１１０に対して、セル１２１に係る無線回線を解放するための無線回線解放信号を送信する。
（４）そして、基地局１２０及び移動端末１１０は、基地局制御装置１４０からの無線回線解放信号を受信すると、移動端末１１０との間に設定されている無線回線（上り高速信号の無線回線）及び基地局１２０との間に設定されている無線回線（上り高速信号の無線回線）をそれぞれ解放する。これにより、セル１２１はアクティブセットから削除される。
【０００９】
【特許文献１】特開２０００−１９７０９２号公報
【特許文献２】特開２００３−１８９３６８号公報
【特許文献３】特開２００３−２２４８７５号公報
【発明の開示】
【発明が解決しようとする課題】
【００１０】
しかしながら、実際のＣＤＭＡ移動通信システムでは、上り高速信号と下り基準信号（又はレート制御信号）の周波数が異なることによるフェージング（受信電界の強度の時間的変動）条件の相違や、上り高速信号と下り基準信号（又はレート制御信号）の干渉条件の相違が想定され、上りの無線回線と下りの無線回線では伝播環境が同一ではない。
【００１１】
特に、従来例２のアクティブセット制御動作では、移動端末１１０と基地局１２０の間で、上り高速信号で通信を行っている状態で、下りの無線回線の伝播環境は良いが上りの無線回線の伝播環境が悪い場合、図８のように移動端末１１０からの無線回線設定要求信号によるアクティブセットへのセル１２１の追加と、基地局１２０からの無線回線解放要求信号によるアクティブセットからのセル１２１の削除と、が連続的に発生し、上り高速信号に対するアクセスリンクの追加・削除がばたつくおそれがある。
【００１２】
本発明の課題は、上り高速信号に対するアクセスリンクの追加・削除のばたつきを抑えることである。
【課題を解決するための手段】
【００１３】
本発明の第１の視点においては、移動端末と、前記移動端末との間で無線回線を設定することが可能な複数の基地局と、前記基地局と有線で接続されるとともに、前記移動端末と前記基地局との間の無線回線のハンドオーバ制御を行う基地局制御装置と、を備え、前記基地局制御装置は、移動端末がセル間でハンドオーバを行う際に、当該移動端末との間で無線回線を設定するセルのリストであるアクティブセットの状態を移動端末ごとに表したアクティブセットテーブルを記憶する記憶部と、前記移動端末又は前記基地局から送信された前記移動端末に対応する所定のセルに係る無線回線の解放を要求するための無線回線解放要求信号を受信することにより、前記アクティブセットテーブルから前記移動端末に対応する前記所定のセルを削除する制御処理部と、前記アクティブセットテーブルから前記移動端末に対応する前記所定のセルを削除したときからの時間を測定するタイマ部と、を備え、前記基地局制御装置の前記制御処理部は、前記移動端末から送信された前記所定のセルに係る無線回線の設定を要求するための無線回線設定要求信号を受信したときにおいて、前記タイマ部で測定された時間が所定時間を経過していないときには、前記移動端末に対応する前記所定のセルを前記アクティブセットテーブルに追加する動作を禁止するように構成されることを特徴とする。
【００１４】
本発明の第２の視点においては、複数の基地局と有線で接続されるとともに、移動端末と前記基地局との間の無線回線のハンドオーバ制御を行う基地局制御装置であって、移動端末がセル間でハンドオーバを行う際に、当該移動端末との間で無線回線を設定するセルのリストであるアクティブセットの状態を移動端末ごとに表したアクティブセットテーブルを記憶する記憶部と、前記移動端末又は前記基地局から送信された前記移動端末に対応する所定のセルに係る無線回線の解放を要求するための無線回線解放要求信号を受信することにより、前記アクティブセットテーブルから前記移動端末に対応する前記所定のセルを削除する制御処理部と、前記アクティブセットテーブルから前記移動端末に対応する前記所定のセルを削除したときからの時間を測定するタイマ部と、を備え、前記制御処理部は、前記移動端末から送信された前記所定のセルに係る無線回線の設定を要求するための無線回線設定要求信号を受信したときにおいて、前記タイマ部で測定された時間が所定時間を経過していないときには、前記移動端末に対応する前記所定のセルを前記アクティブセットテーブルに追加する動作を禁止するように構成されることを特徴とする。
【００１５】
本発明の第３の視点においては、移動端末がセル間でハンドオーバを行う際に、当該移動端末との間で無線回線を設定するセルのリストであるアクティブセットに含めるセルを選択するためのアクティブセット選択方法であって、基地局制御装置が、前記移動端末から送信された前記移動端末に対応する所定のセルに係る無線回線の設定を要求するための無線回線設定要求信号を受信したときにおいて、前記アクティブセットから前記移動端末に対応する前記所定のセルを削除したときから所定時間経過していないときには、前記移動端末に対応する前記所定のセルを前記アクティブセットに追加する動作を禁止するステップを含むことを特徴とする。
【発明の効果】
【００１６】
本発明（請求項１−１２）によれば、基地局制御装置にてアクティブセットの削除後に、タイマをセット（設定）し、タイマ作動中はそのセルに対するアクセスリンク追加を禁止することによって、アクセスリンクの追加・削除のばたつきを抑えることができる。つまり、基地局制御装置が基地局からアクセスリンクの削除要求を受信した場合には、そのアクセスリンクに対するタイマをセットし、タイマ起動中は、アクセスリンク設定禁止区間として基地局制御装置が制御することによって、下り基準信号電力が良いにも関わらず、上り高速信号の受信状態が悪い伝播環境下で、該当セルに対するアクティブセットの削除と追加が連続して発生することを防ぐことができる。これにより、上りと下りの伝播環境の差による不都合を回避することができる。
【００１７】
本発明（請求項１−１２）によれば、無駄なアクティブセットの制御信号及び上り高速信号に割り当てる上り高速信号受信用ハードウェアリソースの浪費を抑制することができる。
【発明を実施するための最良の形態】
【００１８】
（実施形態１）
本発明の実施形態１に係る移動通信システムについて図面を用いて説明する。図１及び図２は、本発明の実施形態１に係る移動通信システムの構成を模式的に示したブロック図である。なお、図１では、セル２１及びセル３１に在圏していた移動端末１０が、移動することによりセル２１、セル３１、及びセル４１に移動した場合を示している。また、図２では、基地局３０、４０を省略している。
【００１９】
移動通信システムは、ＣＤＭＡ移動通信システムであり、移動端末１０と、基地局２０、３０、４０と、基地局制御装置５０と、を有する。
【００２０】
移動端末１０は、同時に複数の基地局２０、３０、４０との間で無線回線を設定することが可能な端末であり、例えば、携帯電話機である。移動端末１０は、電力測定部１１と、イベントトリガ送信部１２と、無線回線制御部１３と、を有する。
【００２１】
電力測定部１１は、第１のセル（例えばセル２１）と呼接続されている状態で、隣接する第２のセル（例えばセル３１）の下り基準信号電力を定期的に測定する。
【００２２】
イベントトリガ送信部１２は、セル（例えばセル３１）の下り基準信号電力が所定値（アクティブセット追加閾値；図４参照）以上になると、当該セルに係る基地局（例えば基地局３０）との間に設定されている無線回線を経由して、基地局制御装置５０に対して、セル３１をアクティブセットに追加するためのイベントトリガ（無線回線設定要求信号）を送信する。また、イベントトリガ送信部１２は、移動端末１０が第２のセル（例えばセル３１）に移動することにより第１のセル（例えばセル２１）の下り基準信号電力が所定値（アクティブセット削除閾値；図４参照）より小さくなると、基地局２０もしくは基地局３０との間に設定されている無線回線を介して基地局制御装置５０に第２のセル（セル２１）をアクティブセットから削除するためのイベントトリガ（無線回線解放要求信号）を送信する。ここで、アクティブセット追加閾値は、該当するセルの下り基準信号と比較することによって、当該セルをアクティブセットに追加するか否かを判断するための閾値である。また、アクティブセット削除閾値は、該当するセルの下り基準信号と比較することによって、当該セルをアクティブセットから削除するか否かを判断するための閾値である。
【００２３】
無線回線制御部１３は、基地局制御装置５０からの無線回線設定要求信号（例えばセル３１に係る無線回線の設定を要求するもの）を受信することにより、セル（例えばセル３１）に係る無線回線を設定する。また、無線回線制御部１３は、基地局制御装置５０からの無線回線解放要求信号（例えばセル３１に係る無線回線の解放を要求するもの）を受信することにより、設定されていたセル（例えばセル３１）に係る無線回線を解放する。
【００２４】
基地局２０、３０、４０は、基地局制御装置５０からの制御に基づいて移動端末１０との間で無線回線を設定する。基地局２０は、移動端末１０と通信が可能な通信エリアを示すとともに移動端末１０との間で設定される無線回線の対象となるセル２１を有する。基地局２０は、無線回線制御部２２と、ＳＩＲ測定部２３と、信号送信部２４と、を有する。基地局３０、４０も基地局２０と同様なセル及び構成部を有する。
【００２５】
無線回線制御部２２は、基地局制御装置５０からの無線回線設定要求信号（例えばセル３１に係る無線回線の設定を要求するもの）を受信することにより、セル（例えばセル３１）において無線回線を設定する。また、無線回線制御部２２は、基地局制御装置５０からの無線回線解放要求信号（例えばセル３１に係る無線回線の解放を要求するもの）を受信することにより、設定されていたセル（例えばセル３１）に係る無線回線を解放する。
【００２６】
ＳＩＲ測定部２３は、上り高速信号の受信ＳＩＲ（Signal to Interference power Ratio）を測定するとともに、基地局制御装置５０からの目標ＳＩＲと、受信ＳＩＲと、に基づいて、受信ＳＩＲがアクティブセット削除ＳＩＲ閾値（図４参照）よりも低くなり、かつ、ある一定の保護時間（アクティブセット削除保護時間；図４参照）その状態が持続したか否かを監視する。ここで、アクティブセット削除ＳＩＲ閾値は、目標ＳＩＲから予め規定された補正量（アクティブセット削除ＳＩＲ閾値用オフセット；図４参照）を減じた値である。また、アクティブセット削除保護時間は、アクティブセットの削除をするか否かを見極めるための保護時間である。
【００２７】
信号送信部２４は、受信ＳＩＲが所定値（アクティブセット削除ＳＩＲ閾値；図４参照）よりも低くなり、かつ、ある一定の保護時間その状態が持続した場合に、基地局制御装置５０に対して、セル２１に係る上り高速信号の無線回線の解放を要求するための無線回線解放要求信号を送信する。
【００２８】
基地局制御装置５０は、複数の基地局２０、３０、４０と有線で接続され、各基地局２０、３０、４０へ無線回線の設定やハンドオーバ制御を行う装置である。基地局制御装置５０は、受信部５１と、制御処理部５２と、送信部５３と、記憶部５４と、タイマ部５５と、を有する。ここで、アクティブセットとは、１つの移動端末に対してハンドオーバ（接続する基地局の切り替え）によってアクセスリンクがはられている全セル（基地局がカバーする区域）の集合をいう。
【００２９】
受信部５１は、移動端末１０もしくは基地局２０、３０、４０からのアクティブセットの追加・削除の要求に係る情報（イベントトリガ、無線回線設定要求信号、無線回線解放要求信号）を受信する部分である。
【００３０】
制御処理部５２は、移動端末１０ごとのアクティブセットを制御処理する部分である。制御処理部５２は、移動端末１０からのイベントトリガ（例えばセル２１をアクティブセットから削除するための無線回線解放要求信号）を受信することにより、移動端末１０に係るセル（例えばセル２１）を記憶部５４に記憶されたアクティブセットテーブルから削除する。制御処理部５２は、基地局（例えば基地局２０）からの無線回線解放要求信号（セル２１に係る上り高速信号の無線回線を解放するためのもの）を受信することにより、移動端末１０に係るセル（例えばセル２１）を記憶部５４に記憶されたアクティブセットテーブルから削除する。制御処理部５２は、移動端末１０に係るセル（例えばセル２１）を記憶部５４に記憶されたアクティブセットテーブルから削除すると、当該基地局（例えば基地局２０）及び移動端末１０に対して、セル（例えばセル２１）に係る上り高速信号の無線回線を解放するための無線回線解放信号を送信するように処理する。制御処理部５２は、移動端末１０に係るセル（例えばセル２１）を記憶部５４に記憶されたアクティブセットテーブルから削除すると、移動端末１０に係るセル＃ｎをタイマ部５５の使用していないタイマにセットし、所定時間カウントする。制御処理部５２は、記憶部５４に記憶されたアクティブセットテーブルを常時監視する。御処理部５２は、移動端末１０からのイベントトリガ（セル＃ｎをアクティブセットに追加するための無線回線設定要求信号）を受信することにより、移動端末１０に係るセル２１をセットしたタイマにてカウント中であるか否かを確認する。制御処理部５２は、移動端末１０からのイベントトリガ（セル＃ｎをアクティブセットに追加するための無線回線設定要求信号）を受信することにより、記憶部５４に記憶されたアクティブセットテーブル内の移動端末１０に係るセルが１つであるか否かを確認する。制御処理部５２は、移動端末１０に係るセル２１をセットしたタイマにてカウント中であり、かつ、アクティブセットテーブル内の移動端末１０に係るセルが２つ以上である場合には、基地局２０に係るセル２１をアクティブセットに追加するための動作を禁止する。制御処理部５２は、移動端末１０に係るセル２１をセットしたタイマにてカウント中であり、かつ、アクティブセットテーブル内の移動端末１０に係るセルが１つである場合には、タイマ部５５内の移動端末１０に係るタイマを全てクリア（リセット）する。制御処理部５２は、移動端末１０に係るセル２１をセットしたタイマにてカウント中であり、かつ、アクティブセットテーブル内の移動端末１０に係るセルが１つである場合には、該当する基地局（例えば基地局２０）及び移動端末１０に対して、セル（例えばセル２１）に係る無線回線を設定するための無線回線設定信号を送信する。
【００３１】
送信部５３は、移動端末１０もしくは基地局２０、３０、４０からのアクティブセットの追加・削除要求に係る情報に応じて、移動端末１０及び基地局２０、３０、４０にアクセスリンクの設定・削除に係る情報（無線回線設定信号、無線回線解放信号）を送信する部分である。
【００３２】
記憶部５４は、移動端末１０ごとのアクティブセットの状態を表すアクティブセットテーブルを記憶する部分である。
【００３３】
タイマ部５５は、セルごとに基地局２０、３０、４０からのアクティブセットの削除からアクティブセットの追加を許可するまでの時間を測定する部分である。
【００３４】
次に、実施形態１に係る移動通信システムの動作について図面を用いて説明する。図３は、本発明の実施形態１に係る移動通信システムの動作を模式的に示したフローチャートである。図４は、本発明の実施形態１に係る移動通信システムにおけるアクティブセットの追加・削除制御の一例を説明するための模式図である。
【００３５】
まず、図４の「Ｐ２」時点で、基地局２０は、移動端末１０からの上り高速信号に係る受信ＳＩＲが、アクティブセット削除ＳＩＲ閾値（図４参照）を下回り、かつ、その状態でアクティブセット削除保護時間が経過すると、基地局制御装置５０に対して、無線回線解放要求信号（セル２１に係る上り高速信号の無線回線を解放を要求するためのもの）を送信する（ステップＡ１）。なお、無線回線解放要求信号は、移動端末１０から送信されるイベントトリガであってもよい。
【００３６】
次に、基地局制御装置５０は、基地局２０からの無線回線解放要求信号（セル２１に係る上り高速信号の無線回線の解放を要求するもの）を受信すると、基地局２０のセル２１をアクティブセットから削除するために、基地局２０及び移動端末１０に対して、セル２１に係る上り高速信号の無線回線を解放するための無線回線解放信号を送信する（ステップＡ２）。
【００３７】
次に、移動端末１０は、基地局制御装置５０からの無線回線解放信号（セル２１に係る上り高速信号の無線回線を解放するもの）を受信すると、基地局２０との間に設定されているセル２１に係る無線回線を解放する（ステップＡ３）。また、基地局２０基地局制御装置５０からの無線回線解放信号（セル２１に係る上り高速信号の無線回線を解放するもの）を受信すると、移動端末１０との間に設定されている無線回線を解放する（ステップＡ４）。これにより、セル２１は移動端末１０に係るアクティブセットから削除される。
【００３８】
次に、基地局制御装置５０は、無線回線解放要求信号（セル２１をアクティブセットから削除するもの）を送信した後、移動端末１０に係るアクティブセットにセル２１を追加することを禁止するために、移動端末１０に係るセル２１をタイマ部５５の使用していないタイマにセットし、所定時間カウントする（ステップＡ５）。
【００３９】
次に、移動端末１０は、移動端末１０にて測定しているセル２１に係る下り基準信号電力がアクティブセット追加閾値（図４参照）を上回っているときに、基地局制御装置５０に対して、イベントトリガ（セル２１をアクティブセットに追加するための無線回線設定要求信号）を送信する（ステップＡ６）。
【００４０】
次に、基地局制御装置５０は、移動端末１０からのイベントトリガ（セル２１をアクティブセットに追加するための無線回線設定要求信号）を受信したときに、移動端末１０に係るセル２１をセットしたタイマにてカウント中であるか否かを確認する（ステップＡ７）。
【００４１】
移動端末１０に係るセル２１をセットしたタイマにてカウント中である場合（ステップＡ７のＹＥＳ）、基地局制御装置５０は、記憶部５４に記憶されたアクティブセットテーブル内の移動端末１０に係るセルが１つであるか否かを確認する（ステップＡ８）。
【００４２】
アクティブセットテーブル内の移動端末１０に係るセルが１つでない（２つ以上の）場合（ステップＡ８のＮＯ）、基地局制御装置５０は、基地局２０に係るセル２１をアクティブセットに追加するための動作を禁止する（ステップＡ９）。これにより、アクセスリンクの追加・削除のばたつきを抑えることができる。
【００４３】
移動端末１０に係るセル２１をセットしたタイマにてカウント中でない場合（ステップＡ７のＮＯ）、又は、アクティブセットテーブル内の移動端末１０に係るセルが１つである場合（ステップＡ８のＹＥＳ）、基地局制御装置５０は、タイマ部５５内の移動端末１０に係るタイマを全てクリア（リセット）する（ステップＡ１０）。
【００４４】
次に、基地局制御装置５０は、該当する基地局２０及び移動端末１０に対して、セル２１に係る無線回線を設定するための無線回線設定信号を送信する（ステップＡ１１）。
【００４５】
その後、移動端末１０は、基地局制御装置５０からの無線回線設定信号（セル２１に係る上り高速信号の無線回線を設定するもの）を受信すると、基地局２０との間のセル２１に係る無線回線を設定する（ステップＡ１２）。また、基地局２０は、基地局制御装置５０からの無線回線設定信号（セル２１に係る上り高速信号の無線回線を設定するもの）を受信すると、移動端末１０との間のセル２１に係る無線回線を設定する（ステップＡ１３）。これにより、セル２１は移動端末１０に係るアクティブセットに追加される。
【００４６】
なお、上記移動通信システムにおけるアクティブセットの追加・削除制御では、移動端末１０、基地局２０、基地局制御装置５０の間の動作を説明したが、移動端末１０、基地局３０、基地局制御装置５０の間の動作や、移動端末１０、基地局４０、基地局制御装置５０の間の動作にも適用できることは勿論である。
【００４７】
実施形態１によれば、基地局制御装置５０にてアクティブセットの削除後に、タイマをセットし、タイマ作動中はそのセルに対するアクセスリンク追加を禁止することによって、アクセスリンクの追加・削除のばたつきを抑えることができる。つまり、基地局制御装置５０が基地局２０、３０、４０からアクセスリンクの削除要求を受信した場合には、そのアクセスリンクに対するタイマをセットし、タイマ起動中は、アクセスリンク設定禁止区間として基地局制御装置が制御することによって、下り基準信号電力が良いにも関わらず、上り高速信号の受信状態が悪い伝播環境下で、該当セルに対するアクティブセットの削除と追加が連続して発生することを防ぐことができる。これにより、上りと下りの伝播環境の差による不都合を回避することができる。
【００４８】
また、無駄なアクティブセットの制御信号及び上り高速信号に割り当てる上り高速信号受信用ハードウェアリソースの浪費を抑制することができる。
【図面の簡単な説明】
【００４９】
【図１】本発明の実施形態１に係る移動通信システムの構成を模式的に示した第１のブロック図である。
【図２】本発明の実施形態１に係る移動通信システムの構成を模式的に示した第２のブロック図である。
【図３】本発明の実施形態１に係る移動通信システムの動作を模式的に示したフローチャートである。
【図４】本発明の実施形態１に係る移動通信システムにおけるアクティブセットの追加・削除制御の一例を説明するための模式図である。
【図５】従来例に係る移動通信システムの構成を模式的に示したブロック図である。
【図６】従来例１に係るＣＤＭＡ移動通信システムのアクティブセット制御動作を説明するための模式図である。
【図７】従来例２に係るＣＤＭＡ移動通信システムのアクティブセット制御動作を説明するための模式図である。
【図８】従来例に係る移動通信システムにおけるアクティブセットの追加・削除制御の一例を説明するための模式図である。
【符号の説明】
【００５０】
１０、１１０  移動端末
１１  電力測定部
１２  イベントトリガ送信部
１３  無線回線制御部
２０、３０、４０  基地局
２１、３１、４１  セル
２２  無線回線制御部
２３  ＳＩＲ測定部
２４  信号送信部
５０、１４０  基地局制御装置
５１  受信部
５２  制御処理部
５３  送信部
５４  記憶部
５５  タイマ部
１２０、１３０  基地局
１２１、１３１  セル
【図１】
2006279856.tif 000003
【図２】
2006279856.tif 000004
【図３】
2006279856.tif 000005
【図４】
2006279856.tif 000006
【図５】
2006279856.tif 000007
【図６】
2006279856.tif 000008
【図７】
2006279856.tif 000009
【図８】
2006279856.tif 000010